(57)【要約】  膜形成システムが、側壁および上部カバーによって境界を画定されている処理チャンバを有している。一実施形態では、該上部カバーが、放射エネルギーを該基板に反射し返す反射表面と、多数のゾーンにわたって該基板の温度を測定する高温計と、該基板の実際の放射率を測定する少なくとも１つの放射計とを有している。別の実施形態では、放射加熱システムが該サセプタ基板サポートの下方に配置されている。該基板の該温度が、該高温計の高温データおよび該放射計から取得される。【選択図】  図１
2009510262.tif 000002
【特許請求の範囲】
【請求項１】
基板上に膜を形成するように適合されている処理チャンバであって、前記チャンバの周辺を囲む側壁を含む処理チャンバと、
前記システムに配置されており、かつ前記基板をサポートするように適合されている基板サポートと、
前記処理チャンバを包囲するように前記基板サポートの上方に配置されている上部カバーであって、前記基板サポートに向かって光を反射し返すための反射表面を備える上部カバーと、
膜形成プロセスに十分な温度に前記基板を加熱するために前記基板サポートの下方に配置されている加熱システムであって、前記基板のプロセス加熱が前記加熱システムによってのみ実行される加熱システムと、
前記基板から発せられた光を収集するための複数の光プローブであって、前記反射表面が前記基板のそれぞれの視界を前記光プローブに提供するための複数の開口を備える複数の光プローブと、
前記基板の実際の放射率を測定するための放射計であって、前記基板の温度が、前記光プローブおよび前記放射計のうちの少なくとも一方からの出力を利用して算出される放射計と、
を備える基板処理システム。
【請求項２】
任意の光プローブの前記視界が前記基板を超えては延びない、請求項１に記載の基板処理システム。
【請求項３】
前記光プローブが高温計である、請求項１に記載の基板処理システム。
【請求項４】
前記光プローブが信号処理エレクトロニクスに光接続されている、請求項１に記載の基板処理システム。
【請求項５】
前記光プローブが前記基板の上方におよそ等距離に放射状に間隔をあけられている、請求項１に記載の基板処理システム。
【請求項６】
前記放射計が、
前記反射表面における開口と、
前記開口をカバーするホットミラーと、
前記基板から発せられた光を収集して前記ホットミラーを通過する光プローブと、
を備える、請求項１に記載の基板処理システム。
【請求項７】
前記放射計の前記反射表面における前記開口が、前記反射表面によってもたらされた前記基板の増大された有効放射率を実質的に排除するのに十分大きな断面積を有する、請求項６に記載の基板処理システム。
【請求項８】
前記側壁の第１の縁に接触しており、また、前記加熱システムからの光が前記上部カバーに達するのを防止するために、前記基板サポートの外縁部と重複する前記処理チャンバに延びる内周縁を有する周辺部材をさらに備える、請求項１に記載の基板処理システム。
【請求項９】
前記基板サポートが前記システムに回転可能に搭載されており、また前記外縁部が前記内周縁に接触していない、請求項８に記載の基板処理システム。
【請求項１０】
前記内周縁に面する前記外縁部の表面が、前記加熱システムからの光を光学的に吸収するように適合されている、請求項９に記載の基板処理システム。
【請求項１１】
前記内周縁部に面する前記外縁部の前記表面が複数の溝を備える、請求項１０に記載の基板処理システム。
【請求項１２】
前記外縁部に面する前記内周縁の表面が、前記加熱システムからの光を吸収するように適合されている、請求項９に記載の基板処理システム。
【請求項１３】
前記外縁部に面する前記内周縁の前記表面が粗化表面を備える、請求項１２に記載の基板処理システム。
【請求項１４】
前記側壁に隣接しており、かつ前記内周縁および前記外縁部と重複するように前記処理チャンバに延びている第２の周辺部材をさらに備える、請求項１０に記載の基板処理システム。
【請求項１５】
前記反射表面が、前記基板から発せられた光を前記基板に反射し返して前記基板の有効放射率を増大させるように適合されている、請求項１に記載の基板処理システム。
【請求項１６】
前記基板サポートが、前記基板を加熱するためのサセプタを備えており、前記サセプタの底部が、前記基板の底部表面を全体的にカバーし、かつ前記加熱システムによって加熱されるように適合されている、請求項１５に記載の基板処理システム。
【請求項１７】
前記加熱システムが照射加熱システムであり、前記サセプタの前記底部が、複数のランプを備える前記照射加熱システムによって生成された光を吸収するように適合されており、前記ランプが前記基板全体に複数の加熱ゾーンを生成し、前記加熱ゾーンが、前記基板の実質的に均一な加熱分布を作成するように重複している、請求項１６に記載の基板処理システム。
【請求項１８】
前記サセプタが、前記基板を均一に導電加熱するように、少なくとも１００Ｗ／ｍ℃の熱伝導率を具備する均一な材料から作られる、請求項１６に記載の基板処理システム。
【請求項１９】
前記放射計が反射率計である、請求項１に記載の基板処理システム。
【請求項２０】
基板表面上に膜を形成するように適合されているチャンバにおいて温度を測定する方法であって、
第１の測定を提供するために、処理中に前記基板からのみ発光された放射を測定するステップと、
第２の測定を提供するために、前記処理チャンバから反射され、かつ前記基板から発光された放射を測定するステップと、
前記第１の測定および第２の測定を比較するステップと、
実際のウェーハ放射率を算出するステップと、
温度値を取得するために前記第２の測定を補正するステップと、
を備える方法。
【発明の詳細な説明】
【背景】
【０００１】
[0001]本発明の実施形態は概して反応チャンバと膜形成装置および方法に関する。
【０００２】
[0002]過去数年にわたって、単結晶シリコン膜の低温堆積を必要とする用途数がかなり増大した。この用途の例としては、ブランケットシリコンゲルマニウム膜、エレベートおよび／またはリセスソースドレイン選択堆積、引張または圧縮制約による膜などを含むがこれらに制限されない。具体的な用途に応じて、これらのプロセスは全て、膜を成長させるのに使用される圧力、温度および化学物質において大きく異なることがある。しかしながら、これらのプロセスが共通して有する要件の１つは、ウェーハの温度の極めて慎重、正確かつ均一なコントロールを必要とするということである。
【０００３】
[0003]（２００ｍｍおよび３００ｍｍの両用途向けの）シングルウェーハシリコン堆積ＣＶＤチャンバはこれまで長年にわたって使用可能であった。しかしながら、この機器は、高温（約１１００℃）のブランケット大気エピタキシャル条件を主に念頭において設計されたものであった。このような高温用途から、より新しい低温用途に推移する時にはこのような機器の性能に影響を与える複数の要因がある。
【０００４】
[0004]まず、通常シリコン前駆体ガスとしてトリクロロシランを使用する高温大気エピタキシャル用途は質量移送制限プロセスである。これは、反応剤が表面に送出されるレートと比較して極めて迅速に化学堆積反応が生じることを意味しており、シリコン膜の均一性を判断する際の主要要因はガス流の均一性である。このような用途の温度コントロールは二次要因である。例証として、通常の３ミクロンの１１３０℃大気エピタキシャルプロセスについて、（大域的またはウェーハ全体の）温度エラーの各摂氏温度は、０．００４ミクロン、つまりわずか０．１３％の膜厚偏差を発生させる。１σ当たり約０．８％の通常の工業均一性要件において、これは、チャンバはウェーハ全体の温度均一性の１σ当たり約６℃を維持する必要があることを意味している。この仕様を満たすのは比較的容易である。当分野で知られているように、σはデータの標準偏差を示すのに使用される統計用語である。膜厚は通常多数のポイントで測定され、σは、確率関数、つまり確率密度関数がこの平均付近に集中される様子を示している。
【０００５】
[0005]反対に、低温エピタキシャル用途は反応レート制限プロセスのカテゴリーに該当する。（例えば、約６００〜９００℃の）通常のプロセス温度では、基板表面での反応は、表面へのガス移送レートと比較して遅く、大域的な温度および基板全体の温度均一性は、膜特性をコントロールする最も重要なプロセスパラメータである。例証として、通常の選択エピタキシャル膜は約３００Å厚であってもよく、１σ当たり約０．１％の均一性を必要としており、この値は、各新たなデバイス生成によって小さくなる。この体制において、温度変動の各摂氏温度は約３Åの膜厚変動を発生させる。１σ当たり１％の均一性は温度コントロールに関して１σ当たり約１℃に変換する。従って、エピタキシャル堆積機器の現在の生成に関する改良における係数６がこのようなプロセスコントロールには必要とされる。
【０００６】
[0006]これらの新たなプロセスの機器性能に影響を与える第２の要因は、ウェーハ放射率を担い、かつ補正するという必要性であり、これは温度測定の精度、ならびにこれらの反応器の選択技術である放射ランプによってウェーハが加熱されるレートおよび方法の両方に影響する。エピタキシャルチャンバの現在の生成は主にブランケットシリコンウェーハを処理するように設計されており、これは基板表面全体に一定かつ均一な放射率特徴を有している。このため、放射率効果は簡単に機器に較正可能である。先端の選択低温プロセスはデバイスウェーハ（その上に部分的に集積回路がプリントされているウェーハ）を目的としており、これは、放射率が既知の係数であることも、このプロパティがウェーハ全体で一定であることも意味していない。
【０００７】
[0007]必要とされている厳密な温度コントロールを依然として維持しつつこの変動を補償可能なエピタキシャル機器を提供することが望ましい。従って、より厳密な温度監視およびコントロール、ならびに放射率およびパターン補償を提供する新たな膜形成システムが非常に望ましい。
【概要】
【０００８】
[0008]本発明の態様は、基板の温度の精密な監視およびコントロールを提供する膜形成システムおよび方法に関する。本発明の一態様は処理チャンバを含む。一実施形態では、該処理チャンバは側壁によって境界を画定されており、第１の周辺部材は、該処理チャンバに延びる内周縁を有しており、該側壁の少なくとも一部付近に配置されている。サセプタなどの基板サポートは該システム内に配置される。
【０００９】
[0009]本発明の一実施形態では、上部カバーが該処理チャンバをカバーするために提供される。本実施形態によると、該上部カバーは該基板サポートの上方に配置されており、また該基板サポートに光を反射し返す反射表面を備えている。一実施形態では、該反射表面は、該基板の有効放射率を増大させるために、該基板から発せられる光を該基板に反射し返すように設計されている。別の実施形態では、複数の光プローブが、該基板から発せられる光を収集して種々の場所で温度を測定するために提供されてもよい。該反射表面は複数の開口を有してもよく、これらの各々はそれぞれの光プローブに視界を提供する。一実施形態では、該光プローブの該視界は該基板を越えては延びない。別の実施形態では、該光プローブの全てが該基板の半径方向に沿って実質的に等距離に間隔をあけられている。該光プローブは光高温計と、信号を信号処理機器へ搬送するための光ファイバとを備えてもよい。
【００１０】
[0010]別の実施形態では、該基板のアクティブ放射率を測定するための放射計が提供されてもよい。該基板の該温度は次いで、該放射計からの出力および該温度プローブのうちの１つ以上を利用して判断されてもよい。一実施形態では、該放射計は、該反射表面によってもたらされる該有効放射率の増大を該開口のエリア以内で実質的に排除するのに十分広い該反射表面に開口を備えており、ホットミラーがこの開口をカバーするために提供されてもよく、これは軸外光を該基板に反射し返すことができる。光プローブが、該ホットミラーを通過する、該基板から発せられる光を収集するために提供される。
【００１１】
[0011]別の実施形態では、該基板サポートの外縁部は該周辺部材の該内周縁と重複しているため、該基板の下方から発せられる光をブロックすることができる。一実施形態では、該基板サポートは該システム内に回転可能に搭載されてもよく、また該周辺部材の該内周縁は該基板サポートの外縁に触れていない。別の実施形態では、該重複している表面のいずれかが、光分散または光吸収効果を高めるために粗化されたり溝状にされたりしてもよく、つまり光学的にアクティブな薄膜もまた該重複表面の吸収率を高めるために使用されてもよい。さらに別の実施形態では、第２の周辺部材つまり光シールドが、該周辺部材および基板サポートの内側および外側の端部で重複するように該処理チャンバに延びている該側壁に隣接して配置されてもよい。
【００１２】
[0012]本発明の別の態様では、該膜形成プロセスに必要な加熱を提供するだけの加熱システムが該基板の下方に配置されている。一実施形態では、該基板サポートは、伝導および放射によって該基板を加熱するサセプタである。該サセプタの底部は該基板の底部表面を全体的にカバーしている。別の実施形態では、該サセプタの該底部は、該加熱システムによって発光された光をよく吸収するように設計されている。該サセプタは、グラファイトなどの、良好な熱導体である均一な材料から作られてもよい。一実施形態では、該加熱システムは複数のランプを備えており、各ランプは該基板全体の所定の特定のゾーンを加熱する。該ゾーンは、該基板全体の実質的に均一な加熱分布を提供するように相互に重複してもよい。
【詳細な説明】
【００１３】
[0029]本発明の複数の例示的実施形態が本明細書に開示されている。しかしながら、開示されている実施形態は本発明の単なる例証であり、これらは多数の形態で具現化可能である点が理解されるべきである。従って、本明細書に開示されている詳細は制限的であるとみなされるべきではないが、請求項の基礎、また本発明をなし、かつこれを使用する方法を当業者に教示するための基礎であるにすぎない。
【００１４】
[0030]膜形成システム１０の概略図が図１Ａおよび図１Ｂに示されている。システム１０は、例えばＣＶＤエピタキシャルシステム、多結晶シリコンまたはシリコン窒化物堆積システム、あるいは、ホットＣＶＤプロセス、つまり約４００℃以上のＣＶＤプロセス用の他の膜形成システムであってもよい。システム１０は、側壁１８によって境界を画定されている処理チャンバ１５を含んでいる。このようなシステムの例は、共に譲渡された米国特許第５，１０８，７９２号、第５，２５８，８２４号および第６，０８３，３２３号に開示されており、これらの各々は参照して本明細書に組み込まれている。側壁１８は、シリコン堆積で使用される可燃性および腐食性のプロセスガスから機器を保護するために石英から作られてもよい。基板サポートシャフト１７は処理チャンバ１５内に回転可能に配置されており、また、処理される基板１９を置くことができる基板サポート１６を含んでいる。本明細書で使用されているように、基板サポートという用語は、チャンバ１５内に基板１９をサポートするのに使用される任意のデバイスを含んでもよく、また、例えば、基板１９の底部表面全体で基板１９をサポートするサセプタ、基板１９の周縁に沿ってのみ基板１９をサポートするリング状サポート、基板１９の底部の３つ以上のポイントで基板１９をサポートする三脚状構成、基板１９の縁に沿って３つ以上のポイントで基板１９をサポートする構成などを含んでもよい。膜が形成されることになる基板１９の上部表面は、一方では基板１９の底部表面またはこの他の部分に面しているが、基板サポート１６に接触している。ある実施形態によると、膜形成プロセス中は、基板サポート１６は回転してもよいため、基板１９を回転させることになる。一実施形態では、サセプタの形態の基板サポート１６は、グラファイト、シリコンカーバイドコーティンググラファイト、固体シリコンカーバイド、アルミナおよび他の適切なセラミック材料などの、均一な特性、良好な熱伝導率（１００Ｗ／ｍ℃より良好）かつ低質量の材料から作られてもよい。
【００１５】
[0031]処理チャンバ１５の上部は上部カバー１１によってシールされてもよい。上部カバー１１は基板サポート１６の上方、ゆえに基板１９の上方に配置されている。上部カバー１１は外カバー１２と、内カバー１４と、内カバー１４に当接する反射表面１３とを含んでいる。内カバー１４は石英から作られてもよく、外カバー１２は、比較的もろい内カバー１４および側壁１８を保護するために鋼から作られてもよい。反射表面１３は、外カバー１２と内カバー１４に挟持されている、金膜や他の極めて反射的な材料から作られてもよい。複数の異なる光学スタックもまた、二酸化シリコンでカバーされているニッケルを含む反射表面１３を形成してもよく、ミラー仕上げに研磨されている簡単なアルミニウム表面が使用されてもよい。反射表面１３は、基板１９から発せられた光を基板１９に反射し返すように設計されている。より詳細に後述されるように、反射表面１３は基板１９の放射率効果の向上を作成する。
【００１６】
[0032]ハウジング３０はチャンバ１５を包んでサポートする。サセプタサポートシャフト１７はチャンバ１５の底部アパーチャー３２を介して延びている。このような延長部分によってドライブアセンブリ（図示せず）は、処理中にサセプタサポートシャフト１７、ひいては基板１９を回転させることができる。このような回転はプロセス均一性を高めるために達成される。
【００１７】
[0033]処理中、ガスはエントリポート３４を介してチャンバ１５に入り、排出ポート３６を介して除去される。処理中も、放射バルブ３８によって熱が提供される。放射バルブ３８は、チャンバ１５に近接して、ハウジング３０に接続されているサポートアセンブリ４０に搭載されている。チャンバ１５の側壁１８は透明であるため、放射バルブ３８からの赤外線放射は、基板１９を加熱するために反応チャンバ１５に自由に入ることができる。
【００１８】
[0034]処理中、石英ウィンドウ（例えば、透明なチャンバ側壁のアクセス可能な部分）は、透明であるが、依然として加熱される。チャンバ側壁１８を冷却するための冷却剤流が入口導管４４を介してブロワー４２からハウジング３０に供給されて、側壁１８の外部表面を越えて向けられ、出口導管４６から排出される。より特定的には、冷却剤流は、上部および下部の入口ポート４８および５０を通って導管４４を介してハウジング３０に供給される。冷却剤流は上部および下部の排出ポート５２および５４を通ってハウジング３０を出る。ハウジング３０は、チャンバ側壁１８を超えて冷却剤を導くシュラウドを形成する。通常、冷却剤は空気である。空気羽根５６や他の冷却剤流コントロールデバイスは入口導管４４に配置されており、ハウジング３０への空気流量をコントロールし、チャンバ１５の側壁１８の温度をコントロールする。代替的に、調整可能な虹彩、バルブ、ブロワースピードコントロール回路などの、冷却剤流をコントロールする他のデバイスが使用されてもよい。
【００１９】
[0035]石英チャンバ側壁１８の温度は、従来の光高温計５８を使用して監視されてもよい。光高温計５８は、摂氏１００度〜摂氏８００度の範囲の温度を測定し、かつ４．８〜５．２ミクロンの波長を検出することができるはずである。このような光高温計は、事業所の住所が７３００  ノースナチェズ  Ａｖｅｎｕｅ，Ｎｉｌｅｓ，ＩＩＩ．６０６４８のＩｒｃｏｎ，Ｉｎｃ．や、事業所の住所が１２９０  Ｈａｍｍｅｒｗｏｏｄ  Ａｖｅｎｕｅ，カリフォルニア州サニーベール９４０８９のＬｉｎｅａｒ  Ｌａｂｓから入手可能である。光高温計５８は基板サポート１６の温度を測定するために使用されてもよく、一実施形態では、摂氏３５０度〜摂氏１３００度の範囲の温度を測定し、かつ約９０５ナノメートルの波長を検出することができる。このような高温計は、例えばＳｅｋｉｄｅｎｋｏから入手可能である。９０５ナノメートルの波長の選択は良好な信号識別能を提供し、また基板１９の温度に伴う基板１９の放射率の変化を低減する。
【００２０】
[0036]次に図１Ｂを参照すると、膜形成システム１０はさらに、基板１９から発せられた光を収集するための複数の光プローブ２０を含んでいる。光プローブ２０は基板１９の上方に設置されており、また実質的に等しい半径方向距離で基板１９の半径方向に沿って配置されてもよい。光プローブ２０は外カバー１２の上または中に搭載されてもよい。ある実施形態では、少なくとも４つの光プローブ２０が提供されるが、光プローブ２０の数は、性能を改良したりコストを低減したりするために必要ならば増減可能である。各光プローブ２０は、基板１９の温度を直接測定するために、反射表面１３のそれぞれの開口２１および外カバー１２の開口２２を介して基板１９の上部表面に向けられる。各光プローブ２０は、可能な限り多くの放射を基板１９から収集するように設計されているが、基板１９の縁を超える放射は監視しない、破線２３で示されている拡大視界を有している。ゆえに、描かれている実施形態では、各光プローブ２０の視界２３は基板１９内に閉じ込められており、また基板１９外に延びることはない。各光プローブ２０は、例えば、開口２１、２２内に配置され、かつ９０５ｎｍの光フィルタ２４に光接続されている２ｍｍサファイア光パイプ３３を備えてもよい。光パイプ３３は反射表面１３と同一平面で終了してもよい。当分野で知られているように、光プローブ２０は、光ファイバケーブルを使用する信号処理エレクトロニクスに接続されてもよく、また光プローブ２０によって収集された信号は信号処理エレクトロニクスによって対応する温度に変換可能であり、これは次いで、基板１９全体に均一な温度を維持するのに必要とされる加熱電力を調整するために温度情報を使用するコントロールシステムに温度を報告する。代替的に、信号処理回路は光フィルタ２４を搭載されてもよく、これは、このような構成は光ファイバケーブルと関連した信号損失を低減するため、一部の状況では望ましい場合がある。従って、光プローブ２０は、基板１９のそれぞれの視界２３内の上部表面温度を測定する高温計として機能する。
【００２１】
[0037]基板１９を加熱するエネルギーは、基板１９の下方に設置されている照射加熱システムから生じる。照射加熱システムの設計はより詳細に後述されている。
【００２２】
[0038]光プローブ２０から取得される、高温計における潜在的に大きなエラーを導入する要因は基板１９の放射率である。プランクの法則は温度と放射の関係を定量化している：
【００２３】
【数１】
2009510262.tif 000003
（式１）
【００２４】
[0039]式１において、Φは放射電力であり、これは高温計２０によって測定された実際の量である；Ｃ１およびＣ２は定数である；λは（上記実施形態では、例えば９０５ｎｍであってもよい）放射波長である；Ｔは基板１９の温度であり、εは基板１９の放射率である。放射率が分かっている場合、プランクの法則が、基板１９の温度を極めて精密に算出するために使用可能である。この放射率が分からない場合、正確な温度算出を実行するのは可能でなく、また、もたらされたエラーは、推定放射率と実際の放射率の差に応じて大きいこともある。図２は、推定放射率が１．０に設定されている場合に異なる放射率の基板１９についてもたらされうる理論的温度測定エラーの大きさを示している。例えば、１．０の放射率を有すると不正確に推定して放射率０．３５の基板１９が測定されると、８００℃でのエラーは７０℃に近づくであろう。選択シリコン堆積用途については、放射率の範囲が広い基板１９が処理される必要があることを予想可能であり、これらの放射率を事前に知らなくてもよい。
【００２５】
[0040]図１Ｂを参照して論じられているように、一実施形態は、基板１９のすぐ上にある反射性の高い表面１３を提供する。反射表面１３は、基板１９によって発光された光放射をトラップして、この光放射を、これと基板１９の間を行き来するように反射し、放射率向上効果を作成する。関連する機構は図３を参照して説明されてもよい。反射表面１３上に配置されている光プローブ２０は、図３にΦで示されている基板１９からの直接発光だけでなく、２つの表面１３、１９間の多数の反射も受け取る。反射表面１３によって光プローブ２０に達する全放射電力は：
【００２６】
【数２】
2009510262.tif 000004
ここで、Ｒは（１．０に近い）反射表面１３の反射率である。この式は以下のように書かれることも可能である：
【００２７】
【数３】
2009510262.tif 000005
ここで、
【００２８】
【数４】
2009510262.tif 000006
である。
【００２９】
[0041]εおよびＲの実数と、とりわけ１．０に近いＲの値についてはεａｐｐａｒｅｎｔは１．０になりやすいと容易に算出可能である。このことは、基板１９の実際の放射率と関係なく光プローブ（または高温計）２０は、１．０に近い有効放射率のターゲットを見ていることを意味する。
【００３０】
[0042]反射表面１３は従って、基板１９の放射率の変動を補償する際にはかなり効果的である。図４は、放射率効果によってもたらされる温度エラーの大きさの測定を示している。図１および図５をさらに参照すると、上部表面の放射率が非常に低いテスト基板１００（放射率約０．３５の多結晶シリコン膜）が熱電対１０１によって付けられた。熱電対１０１は光プローブ２０と同じ半径で設置されているため、２つの技術によってなされた温度測定は比較可能である。図４は、熱電対１０１によって測定された基板１００の実際の温度の関数としての、光プローブ２０によって測定された温度と熱電対１０１によって測定された温度の差のグラフである。図４に示されているように、放射率によるエラーは、最大８５０℃の温度については５℃未満である。図２を参照すると、反射表面１３によって作成された高度有効放射率なしでは、放射率０．３５の基板１９の測定エラーは、８５０℃の温度では７０℃を超えることが分かる。反射表面１３は従って、放射率誘導エラーを９０％以上低減する。
【００３１】
[0043]放射加熱された処理チャンバに高温計を使用する場合に直面するもう１つの問題は漂遊放射である。図１を参照すると、基板１９は照射加熱システムを使用して加熱されてもよい。照射加熱システムは、基板１９を加熱するために１つ以上のランプ３８を使用する。その結果、チャンバ１５は光でいっぱいになる傾向がある。この配置に伴う問題の１つは、照射加熱システムによって発生された光が、基板１９によって放射された光とほとんど見分けがつかないことである。これは、高温計２０はこれらのコンポーネントの両方、つまり基板１９からの放射および加熱システムからの放射を収集して、基板１９によって発生されたようにこの放射の全てを読み取ることを意味している。これは、摂氏数百度に容易に達しうる直接測定エラーをもたらす。例えば、図６は、ほとんどまたはまったく漂遊放射ブロッキング部材が利用されない場合の高温計温度読み取りの比較データを提供するグラフである。図６において、このデータは、チャンバが加熱時間を有することがないほど高速なレートでステップにおいて照射加熱システムのランプ電力を増大することによってとられた。熱電対によって測定された実際の基板温度は、テスト全体において１４０℃を超えることはなかった。高温計によって測定された、グラフに示されている表見温度の全急増は、漂遊放射によってもたらされる直接測定エラーである。図６に示されているように、このエラーは３００度を超えるに達した。
【００３２】
[0044]本発明の一態様は、漂遊放射と関連した問題を最小化するようにシステムコンポーネントおよび部材を提供し、本態様の実施形態は図７および８に描かれている。石英から作られてもよい側壁２０１によって囲まれている処理チャンバ２００を含むシステムが示されている。膜形成プロセス中に基板２０４を保持するため使用される基板サポート２０２が、図１を参照して上述されたように、システム内に回転可能に配置されている。膜形成プロセスに必要なプロセス加熱の全てが照射加熱システムによって提供され、これは基板サポート２０２、ゆえに基板２０４の下方に配置されている。膜形成システムは、基板２０４の上方の上部領域２０６と、基板サポート２０２の下方の下部領域２０７との２つの領域に分割されると考えられてもよい。照射加熱システムは下部領域２０７にのみ設置されてもよいため、高温計（または光プローブ）が基板２０４の温度を測定するために設置された場合のように、照射加熱システムからの光が上部領域２０４に入るのを防止することが望ましい。
【００３３】
[0045]周辺部材２０５が側壁２０１の少なくとも一部付近に配置されている。出っ張りおよびポケットが側壁２０１および周辺部材２０５において、これら２つのコンポーネントが相互に移動しないように設計されてもよく、また周辺部材２０５の外周縁は側壁２０１の保持縁２０３に接触している。周辺部材２０５は、例えば、予熱リングであってもよい。周辺部材２０５はグラファイトから作られてもよく、また側壁２０１を介して処理チャンバに光が透過しないようにし、この処理チャンバは石英から作られてもよいため、透明または半透明であってもよい。周辺部材２０５は、処理チャンバ２００に延びる内縁部２０８を備えている。この内端２０８は基板サポート２０２の外端２０９と重複する。ゆえに、周辺部材２０５および基板サポート２０２はそれぞれ重複する内外の端部２０８、２０９を有する。ギャップ２１０が、回転する基板サポート２０２と静止している周辺部材２０５間に提供されてもよい。ギャップ２１０の幅は、重複する端２０８、２０９を分離しており、ギャップ２１０を通過する光の量を最小に保つために可能な限り小さく作られてもよく、一実施形態では、幅０．０７５インチである。１セットの重複表面２０８、２０９を提供することによって、下部領域２０７から発せられた光の大部分は上部領域２０６に入るのをブロックされる。重複表面２０８、２０９は、基板サポート２０２の外周縁および周辺部材２０５の内周縁にステップ付き部材を含んでもよい。基板サポート２０２および周辺部材２０５のステップ付き部材は相補的なものとして示されている。基板サポート２０２の外周縁２０９と周辺部材２０５の内周縁２０８間に相補的ステップ付き設計を提供することによって、内周縁２０８の上部表面は基板サポート２０２の上部表面より高くならないことが注目される。
【００３４】
[0046]下部領域２０７からの光がギャップ２１０を介して上部領域２０６に逃げるのをさらに防止するために、重複表面２０８、２０９は、光を分散および吸収するように設計されている光学的に粗い仕上げで提供されることがある。例えば、基板サポート２０２の外端２０９の上部表面は、一連のより狭い溝２１１を提供するように加工されてもよい。周辺部材２０５の内端２０８の底部表面は同様に溝付き表面が提供されてもよい。溝が使用されてはいるが、他のタイプの角度付き表面や、照射加熱システムによって発光された放射を吸収するように設計されている光学膜などの、光を吸収する任意の適切な表面が重複表面２０８、２０９に使用されてもよい点が理解されるべきである。
【００３５】
[0047]漂遊放射をさらにブロックするために、図７および８に描かれている実施形態はさらに、上部周辺部材、つまり光シールド２１２を提供する。上部光シールド２１２はグラファイトから作られてもよく、また周辺部材２０５およびサセプタ２０２の重複端２０８、２０９の上方に配置される。上部光シールド２１２は上部側壁２１３上に、またはこれに隣接して配置されてもよい。上部側壁２１３は石英から作られてもよい。出っ張りおよびポケットは、上部側壁２１３および光シールド２１２において、これら２つのコンポーネントが相互に移動しないように設計されてもよい。ギャップ２１５が、サセプタ２０２の回転と干渉しないようにするために、上部光シールド２１２の下部表面２１４を基板サポート２０２および周辺部材２０５の上部表面から分離してもよい。上部光シールド２１２の下部表面２１４は同様に、ギャップ２１０から発せられた光を吸収するために、一連の細い溝や光活性膜などの光学的に粗い、または吸収性の表面を提供されてもよい。上部光シールド２１２は側壁２０１、２１３の周縁全体に沿ってもよい。別個の要素として描かれているが、上部側壁２１３および下部側壁２０１は、周辺部材２０５を受容するように適切な溝などによって製造されたモノリシック要素から作られてもよい。
【００３６】
[0048]図９は、石英側壁３０２および上部カバー３０３によって境界を画定されている処理チャンバ３０１を備える別の膜形成システム３００を図示する。基板サポートシャフト３０４は処理チャンバ３０１内に回転可能に配置されており、また基板３０６を保持するサセプタ３０５を備えている。サセプタ３０５は、グラファイトや固体シリコンカーバイドなどの、少なくとも１００Ｗ／ｍ℃の熱伝導率を有する軽くて、均一かつ熱伝導性の材料から作られており、基板３０６の底部表面を完全にカバーしており、また伝導および放射によって基板３０６を加熱するように設計されている。上部カバー３０３は、石英の内層３０８と鋼の外層３０９の間に挟持されている反射表面３０７を備える。反射表面３０７は、基板３０６から発せられた放射を基板３０６の上部表面に反射し返して、基板３０６の有効放射率を増大させる。
【００３７】
[0049]この放射率向上効果によって、基板３０６の表面上の反射率の値やパターンに関係なく基板３０６が均一かつ等温条件に達するまで、反射表面３０７は基板３０６にエネルギーを一定に反射し返す。基板３０６の温度の高温測定を提供するために、複数の光プローブ３１０が基板３０６から発せられた光をサンプリングし、各光プローブ３１０は、基板３０６を超えては延びないそれぞれの視界３１１を有している。反射表面３０７の開口３１２はそれぞれの視界３１１を光プローブ３１０に提供してもよい。
【００３８】
[0050]膜形成システム３００は、基板サポート３０５の下方に配置されている加熱システム３１３を備えている。加熱システム３１３は１つ以上のランプ３１４を備えており、これは、チャンバ３０１に下から光を放射して基板サポート３０５の底部を加熱する。全てのプロセス加熱が加熱システム３１３によって提供される。ランプ３１４からの光が光プローブ３１０に達するのを防止するために、システム３００はさらに、サセプタ３０５と重複する予熱リングであってもよいグラファイト周辺部材３１５を備えている。従って、上記実施形態で開示されているように、サセプタ３０５と周辺部材３１５間に重複領域３１６が存在する。この重複領域３１６内の表面は、サセプタ３０４を周辺部材３１５から分離するギャップを介して分散する光をより良好に吸収するために、例えば細い溝や光学薄膜によって、光学的に粗く、または吸収性にされてもよい。グラファイト上部周辺部材、つまり光シールド３１７はまた、ランプ３１４から分散する光をさらにブロックするために、重複領域３１６の上方に配置されてもよい。光シールド３１７は石英上部側壁３１８によってサポートされてもよい。
【００３９】
[0051]膜形成システム３００は、基板３０６のパターン負荷および放射率変動によって通常はもたらされる膜形成プロセスの欠陥を防止するように設計されている。サセプタ３０５は加熱システム３１３に一定の吸収率ターゲットを提供する。加熱システム３１３は従ってサセプタ３０５を均一に加熱することによって、これがまた基板３０６を均一に導電加熱し、また反射表面３０７によって、パターン負荷および放射率効果を回避するために基板３０６全体に等温条件を保証する。反射表面３０７は２つの別個の機能を提供する：１）基板３０６の大域的放射率とは関係なくプローブ３１０に基板３０６の温度を正確に測定させ、また２）基板３０６の放射率の局所的かつナノスケールの変化によってもたらされるパターン負荷効果を低減するのに役立つ。
【００４０】
[0052]図１０は、膜形成システム３００の高温計温度データ対熱電対温度データの実験結果を図示しているグラフである。光プローブ３１０によって測定された高温計温度を検証するために、上部表面に４つの熱電対が溶接されている、図５に描かれているものと類似の特殊ウェーハが利用された。これらの熱電対は光プローブ３１０の下方に直接設置されたため、光プローブ３１０の高温計読み取りは直接比較可能である。（約０．９５の）高放射率膜が、熱電対を取り付ける前にウェーハの表面上で成長された。これによって、光プローブ３１０の精度および反復性は、任意の熱サイクルでウェーハを加熱して、かつ熱電対読み取りを、光プローブ３１０でなされたものと比較することによってテストされた。基板の中心付近に設置されている熱電対および光プローブをグラフ化している図１０に示されているように、システム３００は、熱電対で測定された温度と、光プローブ３１０を介して高温計で測定された温度との密接な相関関係を提供する。
【００４１】
[0053]図１１は、これらのテスト中に取得された実際のチャンバ３１０の温度の関数としての全光プローブ３１０の平均測定エラー算出の概要を示している。示されているように、対象の温度範囲（＞５５０℃）について、漂遊光によるエラーは２℃程度である。
【００４２】
[0054]高温計測定の放射率有効補正をさらに提供する膜形成システム４００の別の実施形態が図１２に示されている。膜形成システム４０は図９のシステム３００と類似しているが、しかしながら、システム４００はさらに、基板４２０の実際の放射率を測定するための放射計４１０を含んでいる。放射計４１０の動作原理は、光プローブ４０３をチャンバ４０２に位置決めするステップを伴うが、この光プローブ４０３については、反射表面４０１によって提供された高度有効放射率が低減または排除される。光プローブ４０３は、放射の反射なしに、基板４２０からの直接放射を見るにすぎない。つまり、光プローブ４０３の放射電力の測定は次式の通りである。
【００４３】
【数５】
2009510262.tif 000007
【００４４】
[0055]光プローブ４０３で測定された温度を、反射表面４０１の完全高度放射率効果を経験する近接する光プローブ４０４で測定されたものと比較することによって、基板４２０の実際の放射率を算出することが可能である。例えば、基板４２０の放射率は以下のように算出可能である：
【００４５】
【数６】
2009510262.tif 000008
【００４６】
ここでＴｍｅａｓは測定されたウェーハ温度であり、デルタは温度プローブ４０４および放射計プローブ４０３によって測定された温度差であり、Ｒ３は反射表面４０１の反射率であり、ＲＥは放射計４１０付近のキャビティの反射率である。式１におけるように他の定数は所与のものである。代替的に、０．３〜約０．９５の既知の反射率の複数の基板４２０はチャンバ４０２で稼動されてもよく、また放射計４１０と標準高温計４０４間の温度差分が較正曲線を構築するために測定されてもよい。この較正曲線は指数関数と一致することもあり、そして引き続き未知の基板４２０の放射率を判断するのに使用される。この放射率値は次いで、高温光プローブ４０５によって報告された温度に補正を実行するのに使用される。
【００４７】
[0056]図１３は放射計４１０の実施形態を図示している。光プローブ４０３は、比較的大きな直径のホール４０６がドリルであけられているかエッチングされている反射表面４０１のエリアに配置されている。ホール４０６の直径は、光プローブ４０３の視界、および基板４２０までの距離と相関することもある。反射表面４０１から反射されずに基板４２０から直接来る光を光プローブ４０３が収集することによって、光プローブ４０３が反射表面４０１によって提供された放射率向上を何ら受け取らないことが望ましい。ゆえに、ホール４０６の直径が可能な限り広いことが望ましい。しかしながら、基板４２０がほぼ全ての角度で放射を発光するため、ホール４０６が非常に大きくされなければ、光プローブ４０３は一部の放射率向上放射をほぼ常に収集する。ホール４０６を非常に大きくすることは望ましくないが、これは、基板４２０上にコールドスポットを作成する傾向があるからである。基板４２０か回転可能であるため、このコールドスポットは基板４２０上にコールドリングを作成することになる。ホール４０６の直径を、光プローブ４０３の基板４２０の表面上の視界と同じサイズにすることによって適切な妥協策が提供されてもよい。一実施形態では、ホール４０６の直径は０．５インチ〜２インチに及ぶことがある。別の実施形態では、この直径は約０．７５インチである。一般的に、単純な三角法が使用されてもよく、またこの直径は、光プローブ４０３の視界の角度と、光プローブ４０３および基板４２０からの距離との関数であってもよい。ホール４０６の幅は、このプローブ４０３に達する放射の反射表面４０１の放射率向上効果を効果的に排除する。反射表面４０１の大きなホール４０６が基板４２０の温度に良くない効果を与えるのを防止するために、ホットミラー４０７がホール４０６をカバーするように位置決めされている。ホットミラー４０７は軸外光を基板４２０に反射し返すように設計されており、このことは、ホール４０６による熱損失量を最小化する。このようなホットミラーは、例えばＳｅｋｉｄｅｎｋｏから取得可能である。ホットミラー４０７ゆえに、プローブ４０３のすぐ下に発光される放射のみが放射計４１０に達する。この放射は反射表面４０１によって向上されるのではなく、そして、上記のように、基板４２０の放射率を計算するために標準の高温プローブ４０４、４０５と比較可能である。基板４２０の放射率が分かっている場合、基板４２０の温度は、式１と、光プローブ４０４、４０５によって検出された放射電力とによって正確に判断可能である。
【００４８】
[0057]当然、任意の適切な放射計が使用されてもよい。例えば、基板の放射率を取得するために反射率計が使用されてもよい。当分野で知られているように、反射率計は光ビームを基板に送り、反射強度を測定する。光の波長を適切に選択することによって、基板はいずれの光も透過させず、光の一部を反射し返すことになる。反射光の強度は測定可能であり、これによって基板の放射率の直接測定が取得可能であるが、これは、放射率＝１−反射率であるためである。このような反射率計は市販されており、例えばＣｌ  Ｓｙｓｔｅｍｓ  ａｔ  ３０９６１  Ｗｅｓｔ  Ａｇｏｕｒａ  Ｒｏａｄ，Ｓｕｉｔｅ  １０９，ウェストレイクビレッジ，ＣＡ９１３６１−４６１８から取得可能である。
【００４９】
[0058]付加的に、対応する複数の領域にわたって基板の放射率を判断するために、各々が基板のそれぞれの視界を具備している複数の放射計を利用することが可能である。ある領域の基板の放射率は、その領域について放射計によって測定されたように、次いで、この領域を包含する視界を具備する対応する高温計について当該領域の温度を正確に計算するために使用されてもよい。このように、基板全体の温度分布はより正確に測定可能であり、ゆえにより正確にコントロール可能である。
【００５０】
[0059]別の実施形態によると、調整可能なエネルギーソースが、膜形成チャンバ内の温度をコントロールするために提供される。次に図１４を参照すると、システム５００が、４ゾーンの照射加熱システム５１０を含んでおり、各ゾーン５０１は、高温光プローブ５０２の対応する放射分布から受け取られた温度フィードバックに基づいて独立して調整され可能である。照射加熱システム５１０はサセプタ５０５の下方に配置されており、複数のランプ５０３および反射計５０４を備えている。ランプ５０３および反射計５０４の角度および配向の調整は、独立して調整可能な加熱ゾーン５０１を作成する。
【００５１】
[0060]加熱ゾーン５０１は、サセプタ５０５の底部表面全体に均一であるように調整可能な加熱パターンを発生させるために結合する。サセプタ５０５の底部表面は、例えば光学膜、溝などを利用することによって、ランプ５０３によって発光された放射を最大限吸収するように設計されてもよい。加熱システム５１０によって生成された加熱パターンのグラフが図１５に提示されており、独立してＯＮにされた場合の個別加熱ゾーン５０１ごとにサセプタ５０５で測定された熱分布を示している。各加熱ゾーン５０１は、サセプタ５０５上の特定の半径で（つまり、各ゾーン５０１の加熱分布はサセプタ５０５の回転中心に対して対称である）、ゆえに基板５０７上の特定の半径で基板５０７を加熱し、また全ての加熱ゾーン５０１は、均一な加熱分布を作成するのに十分に重複している。図１５に示されている加熱パターンの加熱ゾーン５０１が、１σ当たり１℃より良好な基板５０７全体の温度分布を発生させるために重なることが予想されている。さらに、上述のように、基板５０７を底部から加熱することだけが、放射率およびパターン負荷の効果を直接低減する。
【００５２】
[0061]上記は本発明の実施形態を目的としているが、本発明の他のさらなる実施形態がこの基本的範囲から逸脱することなく考案されてもよく、またはこの範囲は以下の特許請求の範囲によって判断される。
【図面の簡単な説明】
【００５３】
【図１Ａ】膜形成システムの実施形態の断面図である。
【図１Ｂ】図１Ａに描かれている膜形成システムの部分断面図である。
【図２】放射率値が異なる基板の基板温度の関数として温度測定エラーを図示しているグラフである。
【図３】一実施形態に従った放射率効果の向上を図示している。
【図４】熱電対によって測定された平均ウェーハ温度の関数としての平均高温計温度測定エラーのグラフである。
【図５】熱電対を具備するテストウェーハの斜視図である。
【図６】漂遊ランプ放射によって引き起こされる高温計温度測定エラーを図示するグラフである。
【図７】膜形成システムの別の実施形態の部分断面図である。
【図８】図７に描かれている実施形態の拡大部分斜視図である。
【図９】膜形成システムの別の実施形態の断面図である。
【図１０】図９に描かれている実施形態の高温計温度データおよび熱電対温度データ対時間の実験結果を図示するグラフである。
【図１１】図９に示されている処理チャンバの実際の温度の関数としての平均高温計温度測定エラー算出のグラフである。
【図１２】膜形成システムのさらに別の実施形態の断面図である。
【図１３】図１２に描かれている放射計の実施形態の断面図である。
【図１４】膜形成システムの別の実施形態の断面図である。
【図１５】図１４に描かれている加熱システムの加熱ゾーンの加熱分布のグラフである。
【符号の説明】
【００５４】
１０…膜形成システム、１１…上部カバー、１２…外カバー、１３…反射表面、１４…内カバー、１５…処理チャンバ、１６…基板サポート、１７…基板サポートシャフト、１８…側壁、１９…基板、２０…光プローブ、２１…開口、２２…開口、２３…視界、２４…光フィルタ、３０…ハウジング、３２…底部アパーチャー、３３…光パイプ、３４…エントリポート、３６…排出ポート、３８…放射バルブ、４０…サポートアセンブリ、４２…ブロワー、４４…入口導管、４８…上部入口ポート、５０…下部入口ポート、１０１…熱電対、２００…処理チャンバ、２０１…側壁、２０３…保持縁、２０４…基板、２０５…周辺部材、２０６…上部領域、２０７…下部領域、２０８…内端、２０９…外端、２１０…ギャップ、２１１…溝、２１２…上部光シールド、２１３…上部側壁、２１４…下部表面、２１５…ギャップ、３００…膜形成システム、３０１…処理チャンバ、３０２…側壁、３０３…上部カバー、３０４…基板サポートシャフト、３０５…サセプタ、３０６…基板、３１０…光プローブ、３１１…視界、３１２…開口、３１３…加熱システム、３１４…ランプ、３１５…周辺部材、３１６…重複領域、３１７…光シールド、４００…膜形成システム、４０１…反射表面、４０２…チャンバ、４０３…光プローブ、４０４…高温計、４０５…高温光プローブ、４０６…ホール、４０７…ホットミラー、４１０…放射計、４２０…基板、５００…システム、５０１…加熱ゾーン、５０２…高温光プローブ、５０３…ランプ、５０４…反射計、５０５…サセプタ、５０７…基板、５１０…照射加熱システム
【図１Ａ】
2009510262.tif 000009
【図１Ｂ】
2009510262.tif 000010
【図２】
2009510262.tif 000011
【図３】
2009510262.tif 000012
【図４】
2009510262.tif 000013
【図５】
2009510262.tif 000014
【図６】
2009510262.tif 000015
【図７】
2009510262.tif 000016
【図８】
2009510262.tif 000017
【図９】
2009510262.tif 000018
【図１０】
2009510262.tif 000019
【図１１】
2009510262.tif 000020
【図１２】
2009510262.tif 000021
【図１３】
2009510262.tif 000022
【図１４】
2009510262.tif 000023
【図１５】
2009510262.tif 000024